(57)【特許請求の範囲】
【請求項１】
複数の柱と、これら柱の上端部間を相互に連結する天井梁とを備え、
平面視において矩形状に前記天井梁が配置され、
この矩形状に配置された前記天井梁の各隅部の外側または内側に前記柱がそれぞれ配置され、これら前記柱が前記天井梁に接合されている床なしの建物ユニットと、
前記柱の下端部間を相互に連結する４本の床梁が平面視矩形状に配置された床梁骨組とを別部材として製造し、
前記床なしの建物ユニットと床梁骨組とをトラックに積載して建築現場に別部材として搬送した後に、
建築現場において床なしの建物ユニットと床梁骨組とを接合する建物ユニットの製造方法であって、
前記床なしの建物ユニットをトラックに積載する積載構造において、
前記トラックの荷台に積載されている前記複数の建物ユニットの各柱が平面視において重ならず、前記複数の建物ユニットの各天井梁の一部が前記天井梁の長手方向において上下に重なっている、
ことを特徴とする建物ユニットの製造方法。
【請求項２】
請求項１に記載の建物ユニットの製造方法において、
前記天井梁は、互いに対向する２本の長辺天井梁と、これら長辺天井梁より短い互いに対向する２本の短辺天井梁を有し、前記柱は前記短辺天井梁をその長手方向に挟むように配置されている、
ことを特徴とする建物ユニットの製造方法。
【請求項３】
請求項１に記載の建物ユニットの製造方法において、
前記天井梁は、互いに対向する２本の長辺天井梁と、これら長辺天井梁より短い互いに対向する２本の短辺天井梁を有し、前記柱は前記長辺天井梁をその長手方向に挟むように配置されている、
ことを特徴とする建物ユニットの製造方法。
【請求項４】
請求項２または３に記載の建物ユニットの製造方法において、
前記柱は前記短辺天井梁の端部及び前記長辺天井梁の端部の少なくとも一方と接合されている、
ことを特徴とする建物ユニットの製造方法。
【発明の詳細な説明】
【技術分野】
【０００１】
本発明は、建物ユニットの製造方法に関する。
【背景技術】
【０００２】
従来、四隅に立設された柱と、これら柱の上端間および下端間を相互に連結する天井梁および床梁とを備えて直方体状に形成された建物ユニットが提案されていた（特許文献１）。特許文献１は、建物ユニットが図１１に示すような構成であることを開示する。
図１１において、建物ユニット１００は、４本の柱１０２と、これらの柱１０２の上端間どうしを結合する４本の天井梁１０３と、柱１０２の下端間どうしを結合する４本の床梁１０４とを備えている。４本の天井梁１０３は、２本の長辺天井梁１０３ａおよび長辺天井梁１０３ａより短い２本の短辺天井梁１０３ｂによって構成されている。４本の床梁１０４は２本の長辺床梁１０４ａおよび長辺床梁１０４ａより短い２本の短辺床梁１０４ｂによって構成されている。なお、柱１０２は正方形筒状に形成されており、天井梁１０３と床梁１０４は、それぞれ断面コ字型に形成されている。
【０００３】
また、２本の長辺天井梁１０３ａ、１０３ａには、複数の天井小梁１０５が架設されており、該天井小梁１０５は長辺天井梁１０３ａの長手方向に所定間隔で設けられている。これら天井小梁１０５の下面には天井板１０６が固定されている。
２本の長辺床梁１０４ａ、１０４ａには、複数の根太１０７が架設されており、該根太１０７は長辺床梁１０４ａの長手方向に所定間隔で設けられている。これら根太１０７の上面には床板１０８が固定されている。
これら根太１０７の上面には床板１０８が固定されている。柱１０２の上端部の柱頭接合部材１０９に天井梁１０３の端部が接合され、柱１０２の下端部の柱脚接合部材１１０に床梁１０４の端部が接合されている。
【先行技術文献】
【特許文献】
【０００４】
【特許文献１】特開２００１−２０７５４８号公報
【発明の概要】
【発明が解決しようとする課題】
【０００５】
ところで、上記建物ユニット１００を上下に積み重ねる際に、平面視において、上の建物ユニット１００の各柱の位置を下の建物ユニット１００の各柱の位置と同じにすると、２つの建物ユニット１００で５ｍ程の高さになる。また、平面視において、上の建物ユニット１００の柱の位置を下の建物ユニット１００の柱の位置とずらした場合でも、上の建物ユニット１００の柱の下端部と下の建物ユニット１００の天井梁とが干渉し、または、上の建物ユニット１００の床梁と下の建物ユニット１００の天井梁とが干渉する。そのため、前記建物ユニット１００を上下に積み重ねると、２つの建物ユニット１００で５ｍ程の高さになるため、道路法などの最高限度（３．８ｍ）を超えてしまう。そのため、積載する際には、建物ユニット１００を積み重ねずに、４トンクラスのトラック（貨物運搬用の大型荷台をもつ自動車）で１つの建物ユニット１００、１１トンクラスのトラックで並べて２つの建物ユニット１００までしか積み込むことができなかった。
【０００６】
本発明は、積み重ねてトラックに積載可能な建物ユニットの製造方法を提供することを目的とする。
【課題を解決するための手段】
【０００７】
上記課題を解決するために、請求項１に記載の発明は、例えば、図１〜図１０に示すように、
複数の柱２と、これら柱２の上端部間を相互に連結する天井梁３とを備え、
平面視において矩形状に前記天井梁３が配置され、
この矩形状に配置された前記天井梁３の各隅部の外側または内側に前記柱２がそれぞれ配置され、これら前記柱２が前記天井梁３に接合されている床なしの建物ユニット１Ａと、
前記柱２の下端部間を相互に連結する４本の床梁４が平面視矩形状に配置された床梁骨組１Ｂとを別部材として製造し、
前記床なしの建物ユニット１Ａと床梁骨組１Ｂとをトラック２０に積載して建築現場に別部材として搬送した後に、
建築現場において床なしの建物ユニット１Ａと床梁骨組１Ｂとを接合する建物ユニットの製造方法であって、
前記床なしの建物ユニット１Ａをトラック２０に積載する積載構造において、
前記トラック２０の荷台２０ａに積載されている前記複数の建物ユニット１Ａの各柱２が平面視において重ならず、前記複数の建物ユニット１Ａの各天井梁３の一部が前記天井梁３の長手方向において上下に重なっている、
ことを特徴とする。
【０００８】
請求項１に記載の発明によれば、矩形状に配置された前記天井梁３の各隅部の外側または内側に前記柱２がそれぞれ配置され、これら前記柱２が前記天井梁３に接合されているので、この建物ユニットを上下に積み重ねる際に、平面視において、上の建物ユニットの柱の位置を下の建物ユニットの柱の位置に対して所定方向にずらすと、上の建物ユニットの柱の下端部と下の建物ユニットの天井梁とが干渉せず、高さを抑えて複数の建物ユニットを積み重ねることができる。よって、例えば３つの建物ユニットを積み重ねた場合、一つの建物ユニットの高さに加えて天井梁の高さ２つ分だけ高くなるだけで、道路法などの最高限度（３．８ｍ）を超えることがなく、積み重ねてトラックに積載可能な建物ユニットの製造方法を提供できる。
【０００９】
請求項２に記載の発明は、例えば、図１〜図７に示すように、
請求項１に記載の建物ユニット１，１Ａ，２１Ａ，３１Ａ，４１Ａにおいて、
前記天井梁３は、互いに対向する２本の長辺天井梁３ａと、これら長辺天井梁３ａより短い互いに対向する２本の短辺天井梁３ｂを有し、前記柱２は前記短辺天井梁３ｂをその長手方向に挟むように配置されている、
ことを特徴とする。
【００１０】
請求項２に記載の発明によれば、前記柱２は前記短辺天井梁３ｂをその長手方向に挟むように配置されているので、この建物ユニットを上下に積み重ねる際に、平面視において、上の建物ユニットの柱の位置を下の建物ユニットの柱の位置に対して前記長辺天井梁３ａの長手方向にずらすと、上の建物ユニットの柱の下端部と下の建物ユニットの天井梁とが干渉せず、複数の建物ユニットを積み重ねることができる。
【００１１】
請求項３に記載の発明は、例えば、図１０に示すように、
請求項１に記載の建物ユニット７１Ａにおいて、
前記天井梁３は、互いに対向する２本の長辺天井梁３ａと、これら長辺天井梁３ａより短い互いに対向する２本の短辺天井梁３ｂを有し、前記柱２は前記長辺天井梁３ａをその長手方向に挟むように配置されている、
ことを特徴とする。
【００１２】
請求項３に記載の発明によれば、前記柱２は前記長辺天井梁３ａをその長手方向に挟むように配置されているので、この建物ユニットを上下に積み重ねる際に、平面視において、上の建物ユニットの柱の位置を下の建物ユニットの柱の位置に対して前記短辺天井梁３ｂの長手方向にずらすと、上の建物ユニットの柱の下端部と下の建物ユニットの前記短辺天井梁３ｂとが干渉せず、複数の建物ユニットを積み重ねることができる。
【００１３】
請求項４に記載の発明は、例えば、図１〜図１０に示すように、
請求項２または３に記載の建物ユニット１，１Ａ，２１Ａ，３１Ａ，４１Ａ，５１Ａ，６１Ａ，７１Ａにおいて、
前記柱２は前記短辺天井梁３ｂの端部及び前記長辺天井梁３ａの端部の少なくとも一方と接合されている、
ことを特徴とする。
【００１４】
請求項４に記載の発明によれば、前記柱２は前記短辺天井梁３ｂの端部及び前記長辺天井梁３ａの端部の少なくとも一方と接合されているので、積み重ねることができる。
【発明の効果】
【００１７】
本発明によれば、積み重ねてトラックに積載可能な建物ユニットの製造方法を提供することができる。
【図面の簡単な説明】
【００１８】
【図１】本発明に係る建物ユニットの製造方法を説明するために示す図であり、複数の建物ユニットをトラックの荷台に積載している図を示す。
【図２】同、（ａ）は柱と天井梁を有する建物ユニットを示し、（ｂ）は矩形状に配置されている床梁を示す。
【図３】同、箱状に形成されている建物ユニットを示す。
【図４】同、（ａ）は短辺天井梁の端部を挟んでいる柱が配置された１つの建物ユニットの平面図を示し、（ｂ）は図４（ａ）に示す建物ユニットを２つ積み重ねた状態を示す平面図であり、（ｃ）は図４（ａ）に示す建物ユニットを３つ積み重ねた状態を示す平面図である。
【図５】同、（ａ）は短辺天井梁の端部を挟み、長辺天井梁と接合された柱が配置されている１つの建物ユニットの平面図を示し、（ｂ）は図５（ａ）に示す建物ユニットを２つ積み重ねている状態を示す平面図であり、（ｃ）は図５（ａ）に示す建物ユニットを３つ積み重ねている状態を示す平面図である。
【図６】同、（ａ）は短辺天井梁の端部を挟むように、長辺天井梁と接合されている柱が配置されている１つの建物ユニットの平面図を示し、（ｂ）は図６（ａ）に示す建物ユニットを２つ積み重ねている状態を示す平面図であり、（ｃ）は図６（ａ）に示す建物ユニットを３つ積み重ねている状態を示す平面図である。
【図７】同、（ａ）は短辺天井梁の端部を挟むように、長辺天井梁と接合されている柱が配置されている１つの建物ユニットの平面図を示し、（ｂ）は図７（ａ）に示す建物ユニットを２つ積み重ねている状態を示す平面図であり、（ｃ）は図７（ａ）に示す建物ユニットを３つ積み重ねている状態を示す平面図である。
【図８】同、（ａ）は矩形状に配置された天井梁の隅部の内側に柱が配置されている１つの建物ユニットの平面図を示し、（ｂ）は図８（ａ）に示す建物ユニットを２つ積み重ねている状態を示す平面図であり、（ｃ）は図８（ａ）に示す建物ユニットを３つ積み重ねている状態を示す平面図である。
【図９】同、（ａ）は矩形状に配置された天井梁の隅部の内側に柱が配置されている１つの建物ユニットの平面図を示し、（ｂ）は図９（ａ）に示す建物ユニットを２つ積み重ねている状態を示す平面図であり、（ｃ）は図９（ａ）に示す建物ユニットを３つ積み重ねている状態を示す平面図である。
【図１０】同、（ａ）は長辺天井梁の端部を挟んでいる柱が配置された１つの建物ユニットの平面図を示し、（ｂ）は図１０（ａ）に示す建物ユニットを２つ積み重ねた状態を示す平面図であり、（ｃ）は図１０（ａ）に示す建物ユニットを３つ積み重ねた状態を示す平面図である。
【図１１】従来の建物ユニットの一例を示す図である。
【発明を実施するための形態】
【００１９】
以下、図１〜図１０を参照して本発明の実施の形態について説明する。
【００２０】
＜実施の形態１＞
はじめに、図１〜図４を参照して、実施の形態に係る建物ユニットの一例を説明する。
【００２１】
（建物ユニット）
図３に示す建物ユニット１は、ユニット建物を建築する際に使用される。通常、ユニット建物においては、基礎上に複数の建物ユニット１が配置され、基礎と複数の建物ユニット１とが基礎に埋め込まれたアンカーボルトによりボルト接合され、前記複数の建物ユニット１がボルトとナットでボルト接合されている。そして、屋根束等を設け、屋根を設置して、ユニット建物が建築されている。
【００２２】
このようにユニット建物は、複数の建物ユニット１等を組み合せることで施工されている。図３に示す建物ユニット１は、図２に示すように、建物ユニット１Ａと床梁骨組１Ｂとを備える。建物ユニット１Ａと床梁骨組１Ｂとは、別部材として搬送され、建築現場にて接合される。建物ユニット１Ａは、図２に示すように、複数の柱２と、これらの柱２の上端部間を相互に結合する４本の天井梁３とを備えている。矩形状に配置された４本の床梁４は、柱２の下端間どうしを結合する。天井梁３と床梁４の各々は、断面コ字型のフレームが用いられている。図２に示すように、天井梁３と床梁４の各々において、外周にフレームのウェブが配置されフランジが内側に突出している。
図２（ａ）に示すように、平面視において矩形状に配置された４本の前記天井梁３は、互いに対向する２本の長辺天井梁３ａと、これら長辺天井梁３ａより短い互いに対向する２本の短辺天井梁３ｂを有している。互いに対向する２本の短辺天井梁３ｂは、これら２本の短辺天井梁３ｂの各端部で、短辺天井梁３ｂと交差する方向に配置された長辺天井梁４ａの端部を挟むように構成されている。この矩形状に配置された前記天井梁３の各隅部の外側に前記柱２がそれぞれ配置され、これら前記柱２が前記天井梁３に接合されている。前記柱２は、前記短辺天井梁３ｂをその長手方向に挟むように配置され、前記短辺天井梁３ｂの端部のみに接合されている。
図２（ｂ）に示すように、４本の床梁４は互いに対向する２本の長辺床梁４ａおよび互いに対向する、長辺床梁４ａより短い２本の短辺床梁４ｂによって構成されている。なお、柱２は正方形筒状に形成されており、天井梁３と床梁４は、それぞれ断面コ字型に形成されている。
【００２３】
図２（ａ）に示すように、２本の長辺天井梁３ａ、３ａには、複数の天井小梁５が架設されており、該天井小梁５は長辺天井梁３ａの長手方向に所定間隔で設けられている。これら天井小梁５の下面には天井板６が固定されている。図１および図４においては、天井小梁５と天井板６の図示していない。
図２（ｂ）に示すように、２本の長辺床梁４ａ、４ａには、複数の根太７が架設されており、該根太７は長辺床梁４ａの長手方向に所定間隔で設けられている。これら根太７の上面には床板８が固定されている。
【００２４】
（トラックへの建物ユニットの積載構造）
図１は、図２（ａ）及び図４（ａ）に示す建物ユニット１Ａを、トラックに積載しているトラックへの建物ユニットの積載構造を示す。図１では、３つの建物ユニット１Ａをトラック２０に積載している状態を示すトラック２０への建物ユニットの積載構造を示している。
【００２５】
各建物ユニット１Ａは、複数の柱２と、これら柱２の上端部間を相互に連結する天井梁３とを備えている。前記天井梁３は平面視において矩形状に配置され、この矩形状に配置された前記天井梁３の各隅部の外側に前記柱２がそれぞれ配置され、これら前記柱２が前記天井梁３に接合されている。
【００２６】
図１および図４（ｃ）に示すように、前記トラック２０の荷台２０ａに積載されている前記複数の建物ユニット１Ａの各柱２が平面視において重ならず、前記複数の建物ユニットの各天井梁３の一部が前記天井梁３の長手方向において上下に重なっている。
【００２７】
図４（ｂ）は、図４（ａ）に示す建物ユニット１Ａの上に、他の建物ユニット１Ａを重ねた際の平面図を示し、平面視において、各建物ユニット１Ａの各柱２が平面視において重ならず、長辺天井梁３ａが上下で一部重なっている。また、図４（ｃ）は、図４（ｂ）に示す他の建物ユニット１Ａの上に、更に他の建物ユニット１Ａを重ねた際の平面図を示し、平面視において、各建物ユニット１Ａの各柱２が平面視において重ならず、長辺天井梁３ａが上下で一部重なっている。
【００２８】
図４（ｂ）および図４（ｃ）においては、下の建物ユニット１Ａの柱２と上の建物ユニット１Ａの柱２とが長辺天井梁の長手方向に少し離れるように図示してあるが、平面視において下の建物ユニット１Ａの柱２と上の建物ユニット１Ａの柱２とが接するように、トラック２０の荷台２０ａ上に積載してもよい。この場合、４トンクラスのトラック２０の荷台２０ａに３つの建物ユニットを積載しても、１つの建物ユニットを積載している場合と比較して、平面視において、トラック２０の荷台２０ａの長手方向に柱２本分の幅があれば、トラック２０の荷台２０ａに３つの建物ユニット１Ａを積載することができる。なお、トラック２０の荷台２０ａに最初に積載する１つ目の建物ユニットは、建物ユニット１Ａに床梁骨組１Ｂが取り付けられた建物ユニット１を積載してもよい。
【００２９】
実施の形態１によれば、矩形状に配置された前記天井梁３の各隅部の外側または内側に前記柱２がそれぞれ配置され、これら前記柱２が前記天井梁３に接合されているので、この建物ユニットを上下に積み重ねる際に、平面視において、上の建物ユニットの柱の位置を下の建物ユニットの柱の位置に対して所定方向にずらすと、上の建物ユニットの柱の下端部と下の建物ユニットの天井梁とが干渉せず、高さを抑えて複数の建物ユニットを積み重ねることができる。よって、例えば３つの建物ユニットを積み重ねた場合、一つの建物ユニットの高さに加えて天井梁の高さ２つ分だけ高くなるだけで、道路法などの最高限度（３．８ｍ）を超えることがなく、積み重ねてトラックに積載可能な建物ユニットを提供できる。
【００３０】
また、前記柱２は前記短辺天井梁３ｂをその長手方向に挟むように配置されているので、この建物ユニットを上下に積み重ねる際に、平面視において、上の建物ユニットの柱の位置を下の建物ユニットの柱の位置に対して前記長辺天井梁３ａの長手方向にずらすと、上の建物ユニットの柱の下端部と下の建物ユニットの天井梁とが干渉せず、複数の建物ユニットを積み重ねることができる。
【００３１】
また、前記柱２は前記短辺天井梁３ｂの端部及び前記長辺天井梁３ａの端部と接合されているので、積み重ねることができる、柱２と天井梁３を有する立面視逆Ｕ字状の建物ユニットを提供することができる。
【００３２】
また、前記トラック２０の荷台２０ａに積載されている前記複数の建物ユニットの各柱２が平面視において重ならず、前記複数の建物ユニットの各天井梁３の一部が前記天井梁３の長手方向において上下に重なっているので、この建物ユニットを上下に積み重ねている状態で、上の建物ユニットの柱の下端部と下の建物ユニットの天井梁とが干渉せず、例えば３つの建物ユニットを積み重ねた場合、一つの建物ユニットの高さに加えて天井梁の高さ２つ分だけ高くなるだけで、トラック２０に積載可能になる。
【００３３】
＜実施の形態２＞
実施の形態１においては、前記柱２が、前記短辺天井梁３ｂをその長手方向に挟むように配置され、前記短辺天井梁３ｂの端部のみに接合されている例について説明したが、本発明はこれに限られない。なお、実施の形態２においては、上記実施の形態１と同じ部材には同一の符号を付し、説明を省略する。
【００３４】
（建物ユニット）
図５（ａ）に示す建物ユニット２１Ａにおいては、前記柱２は前記短辺天井梁３ｂをその長手方向に挟むように配置され、長辺天井梁３ａの端部と前記短辺天井梁３ｂの端部とに接合されていている。実施の形態１と比べて、天井梁３と柱２との接合部分が広がり、強固に結合することができる。
【００３５】
（トラックへの建物ユニットの積載構造）
図５（ｂ）および図５（ｃ）は、図５（ａ）に示す建物ユニット２１Ａを複数トラック２０の荷台２０ａに積載している平面図を示す。
【００３６】
図５（ｂ）は、図５（ａ）に示す建物ユニット２１Ａの上に、他の建物ユニット２１Ａを重ねた際の平面図を示し、平面視において、各建物ユニット２１Ａの各柱２が平面視において重ならず、長辺天井梁３ａが上下で一部重なっている。また、図５（ｃ）は、図５（ｂ）に示す他の建物ユニット２１Ａの上に、更に他の建物ユニット２１Ａを重ねた際の平面図を示し、平面視において、各建物ユニット２１Ａの各柱２が平面視において重ならず、長辺天井梁３ａが上下で一部重なっている。
【００３７】
図５（ｂ）および図５（ｃ）においては、下の建物ユニット２１Ａの柱２と上の建物ユニット２１Ａの柱２とが長辺天井梁の長手方向に少し離れるように図示してあるが、平面視において下の建物ユニット２１Ａの柱２と上の建物ユニット２１Ａの柱２とが接するように、トラック２０の荷台２０ａ上に積載してもよい。この場合、４トンクラスのトラック２０の荷台２０ａに３つの建物ユニットを積載しても、１つの建物ユニットを積載している場合と比較して、平面視において、トラック２０の荷台２０ａの長手方向に柱２本分の幅があれば、トラック２０の荷台２０ａに３つの建物ユニット２１Ａを積載することができる。なお、トラック２０の荷台２０ａに最初に積載する１つ目の建物ユニットは、建物ユニット２１Ａに床梁が取り付けられた建物ユニットを積載してもよい。
【００３８】
実施の形態２によれば、前記柱２は前記短辺天井梁３ｂをその長手方向に挟むように配置されているので、この建物ユニットを上下に積み重ねる際に、平面視において、上の建物ユニットの柱の位置を下の建物ユニットの柱の位置に対して前記長辺天井梁３ａの長手方向にずらすと、上の建物ユニットの柱の下端部と下の建物ユニットの天井梁とが干渉せず、複数の建物ユニットを積み重ねることができる。
【００３９】
また、前記トラック２０の荷台２０ａに積載されている前記複数の建物ユニットの各柱２が平面視において重ならず、前記複数の建物ユニットの各天井梁３の一部が前記天井梁３の長手方向において上下に重なっているので、この建物ユニットを上下に積み重ねている状態で、上の建物ユニットの柱の下端部と下の建物ユニットの天井梁とが干渉せず、例えば３つの建物ユニットを積み重ねた場合、一つの建物ユニットの高さに加えて天井梁の高さ２つ分だけ高くなるだけで、トラック２０に積載可能になる。
【００４０】
＜実施の形態３＞
実施の形態１及び２においては、前記柱２が、前記短辺天井梁３ｂをその長手方向に挟むように配置され、前記短辺天井梁３ｂの端部に接合されている例について説明したが、本発明はこれに限られない。なお、実施の形態３においては、上記実施の形態１と同じ部材には同一の符号を付し、説明を省略する。
【００４１】
（建物ユニット）
図６（ａ）に示す建物ユニット３１Ａ及び図７（ａ）に示す建物ユニット４１Ａにおいては、前記柱２は、前記短辺天井梁３ｂをその長手方向に挟むように配置され、長辺天井梁３ａの端部とのみに接合されていている。実施の形態１及び２と比べて、長辺天井梁３ａの端部とのみに接合する。即ち、柱２は断面コ字型の長辺天井梁３ａのウェブに接合できるため、柱２の側面と天井梁３の面で接合でき、接合が容易になる。
【００４２】
（トラックへの建物ユニットの積載構造）
図６（ｂ）および図６（ｃ）は、図６（ａ）に示す建物ユニット３１Ａを複数トラックの荷台２０ａに積載している平面図を示す。なお、図７については、柱２と長辺天井梁３ａの接合部分が、図６と比べて、広がる点で異なるだけなので説明を省略する。
【００４３】
図６（ｂ）は、図６（ａ）に示す建物ユニット３１Ａの上に、他の建物ユニット３１Ａを重ねた際の平面図を示し、平面視において、各建物ユニット３１Ａの各柱２が平面視において重ならず、長辺天井梁３ａが上下で一部重なっている。また、図６（ｃ）は、図６（ｂ）に示す他の建物ユニット３１Ａの上に、更に他の建物ユニット３１Ａを重ねた際の平面図を示し、平面視において、各建物ユニット３１Ａの各柱２が平面視において重ならず、長辺天井梁３ａが上下で一部重なっている。
【００４４】
図６（ｂ）および図６（ｃ）においては、下の建物ユニット３１Ａの柱２と上の建物ユニット３１Ａの柱２とが長辺天井梁の長手方向に少し離れるように図示してあるが、平面視において下の建物ユニット３１Ａの柱２と上の建物ユニット３１Ａの柱２とが接するように、トラック２０の荷台２０ａ上に積載してもよい。この場合、４トンクラスのトラック２０の荷台２０ａに３つの建物ユニットを積載しても、１つの建物ユニットを積載している場合と比較して、平面視において、トラック２０の荷台２０ａの長手方向に柱２本分の幅があれば、トラック２０の荷台２０ａに３つの建物ユニット３１Ａを積載することができる。なお、トラック２０の荷台２０ａに最初に積載する１つ目の建物ユニットは、建物ユニット３１Ａに床梁が取り付けられた建物ユニットを積載してもよい。
【００４５】
実施の形態３によれば、前記柱２は前記短辺天井梁３ｂをその長手方向に挟むように配置されているので、この建物ユニットを上下に積み重ねる際に、平面視において、上の建物ユニットの柱の位置を下の建物ユニットの柱の位置に対して前記長辺天井梁３ａの長手方向にずらすと、上の建物ユニットの柱の下端部と下の建物ユニットの天井梁とが干渉せず、複数の建物ユニットを積み重ねることができる。
【００４６】
また、前記トラック２０の荷台２０ａに積載されている前記複数の建物ユニットの各柱２が平面視において重ならず、前記複数の建物ユニットの各天井梁３の一部が前記天井梁３の長手方向において上下に重なっているので、この建物ユニットを上下に積み重ねている状態で、上の建物ユニットの柱の下端部と下の建物ユニットの天井梁とが干渉せず、例えば３つの建物ユニットを積み重ねた場合、一つの建物ユニットの高さに加えて天井梁の高さ２つ分だけ高くなるだけで、トラック２０に積載可能になる。
【００４７】
＜実施の形態４＞
実施の形態１から３においては、矩形状に配置された前記天井梁３の各隅部の外側に前記柱２がそれぞれ配置されている例について説明したが、本発明はこれに限られない。なお、実施の形態４においては、上記実施の形態１と同じ部材には同一の符号を付し、説明を省略する。
【００４８】
（建物ユニット）
図８（ａ）に示す建物ユニット５１Ａ及び図９（ａ）に示す建物ユニット６１Ａにおいては、前記柱２は、矩形状に配置された前記天井梁３の各隅部の内側に前記柱２がそれぞれ配置され、前記長辺天井梁３ａと前記短辺天井梁３ｂとに接合されていている。実施の形態１〜３と比べた場合、複数の建物ユニット１Ａ（２１Ａ，３１Ａ，４１Ａ）を並べた場合には、天井梁３同士のウェブは接触しないが、複数の建物ユニット５１Ａ（６１Ａ）を並べた場合には、天井梁３同士のウェブが接触する。即ち、建物ユニット５１Ａ（６１Ａ）のウェブ同士を直接に接合できる。
【００４９】
（トラックへの建物ユニットの積載構造）
図８（ｂ）および図８（ｃ）は、図８（ａ）に示す建物ユニット５１Ａを複数トラック２０の荷台２０ａに積載している平面図を示す。なお、図８おいては、長辺天井梁３ａの端部を、長辺天井梁３ａと交差する方向に配置された短辺天井梁３ｂの端部で挟むように、長辺天井梁３ａの端部と短辺天井梁３ｂの端部が接合されている。これに対して、図９においては、短辺天井梁３ｂの端部を、短辺天井梁３ｂと交差する方向に配置された長辺天井梁３ａの端部で挟むように、長辺天井梁３ａの端部と短辺天井梁３ｂの端部が接合されている。図８の建物ユニット５１Ａと図９の建物ユニット６１Ａではこの点が異なるだけなので、図９については以下説明を省略する。
【００５０】
図８（ｂ）は、図８（ａ）に示す建物ユニット５１Ａの上に、他の建物ユニット５１Ａを重ねた際の平面図を示し、平面視において、各建物ユニット５１Ａの各柱２が平面視において重ならず、長辺天井梁３ａが上下で一部重なっている。また、図８（ｃ）は、図８（ｂ）に示す他の建物ユニット５１Ａの上に、更に他の建物ユニット５１Ａを重ねた際の平面図を示し、平面視において、各建物ユニット５１Ａの各柱２が平面視において重ならず、長辺天井梁３ａが上下で一部重なっている。
【００５１】
図８（ｂ）および図８（ｃ）においては、下の建物ユニット５１Ａの柱２と上の建物ユニット５１Ａの柱２とが長辺天井梁の長手方向に少し離れるように図示してあるが、平面視において下の建物ユニット５１Ａの柱２と上の建物ユニット５１Ａの柱２とが接するように、トラック２０の荷台２０ａ上に積載してもよい。この場合、４トンクラスのトラック２０の荷台２０ａに３つの建物ユニットを積載しても、１つの建物ユニットを積載している場合と比較して、平面視において、トラック２０の荷台２０ａの長手方向に柱２本分の幅があれば、トラック２０の荷台２０ａに３つの建物ユニット５１Ａを積載することができる。なお、トラック２０の荷台２０ａに最初に積載する１つ目の建物ユニットは、建物ユニット５１Ａに床梁が取り付けられた建物ユニットを積載してもよい。
【００５２】
実施の形態４によれば、矩形状に配置された前記天井梁３の各隅部の内側に前記柱２がそれぞれ配置され、これら前記柱２が前記天井梁３に接合されているので、この建物ユニットを上下に積み重ねる際に、平面視において、上の建物ユニットの柱の位置を下の建物ユニットの柱の位置に対して所定方向にずらすと、上の建物ユニットの柱の下端部と下の建物ユニットの天井梁とが干渉せず、高さを抑えて複数の建物ユニットを積み重ねることができる。よって、例えば３つの建物ユニットを積み重ねた場合、一つの建物ユニットの高さに加えて天井梁の高さ２つ分だけ高くなるだけで、道路法などの最高限度（３．８ｍ）を超えることがなく、積み重ねてトラック２０に積載可能な建物ユニットを提供できる。
【００５３】
また、前記トラック２０の荷台２０ａに積載されている前記複数の建物ユニットの各柱２が平面視において重ならず、前記複数の建物ユニットの各天井梁３の一部が前記天井梁３の長手方向において上下に重なっているので、この建物ユニットを上下に積み重ねている状態で、上の建物ユニットの柱の下端部と下の建物ユニットの天井梁とが干渉せず、例えば３つの建物ユニットを積み重ねた場合、一つの建物ユニットの高さに加えて天井梁の高さ２つ分だけ高くなるだけで、トラック２０に積載可能になる。
＜実施の形態５＞
実施の形態１〜４においては、前記柱２が、前記短辺天井梁３ｂをその長手方向に挟むように配置されている例について説明したが、本発明はこれに限られない。なお、実施の形態５においては、上記実施の形態１と同じ部材には同一の符号を付し、説明を省略する。
【００５４】
（建物ユニット）
図１０（ａ）に示す建物ユニット７１Ａにおいては、前記柱２は前記長辺天井梁３ａをその長手方向に挟むように配置され、長辺天井梁３ａの端部に接合されていている。
【００５５】
（トラックへの建物ユニットの積載構造）
図１０（ｂ）および図１０（ｃ）は、図１０（ａ）に示す建物ユニット７１Ａを複数トラック２０の荷台２０ａに積載している平面図を示す。
【００５６】
図１０（ｂ）は、図１０（ａ）に示す建物ユニット７１Ａの上に、他の建物ユニット７１Ａを重ねた際の平面図を示し、平面視において、各建物ユニット７１Ａの各柱２が平面視において重ならず、短辺天井梁３ｂが上下で一部重なっている。また、図１０（ｃ）は、図１０（ｂ）に示す他の建物ユニット７１Ａの上に、更に他の建物ユニット７１Ａを重ねた際の平面図を示し、平面視において、各建物ユニット７１Ａの各柱２が平面視において重ならず、短辺天井梁３ｂが上下で一部重なっている。
【００５７】
図１０（ｂ）および図１０（ｃ）においては、下の建物ユニット７１Ａの柱２と上の建物ユニット７１Ａの柱２とが短辺天井梁の長手方向に少し離れるように図示してあるが、平面視において下の建物ユニット７１Ａの柱２と上の建物ユニット７１Ａの柱２とが接するように、トラック２０の荷台２０ａ上に積載してもよい。この場合、４トンクラスのトラック２０の荷台２０ａに３つの建物ユニットを積載しても、１つの建物ユニットを積載している場合と比較して、平面視において、トラック２０の荷台２０ａの長手方向に柱２本分の幅があれば、トラック２０の荷台２０ａに３つの建物ユニット７１Ａを積載することができる。なお、トラック２０の荷台２０ａに最初に積載する１つ目の建物ユニットは、建物ユニット７１Ａに床梁が取り付けられた建物ユニットを積載してもよい。
【００５８】
実施の形態５によれば、前記柱２は前記長辺天井梁３ａをその長手方向に挟むように配置されているので、この建物ユニットを上下に積み重ねる際に、平面視において、上の建物ユニットの柱の位置を下の建物ユニットの柱の位置に対して前記短辺天井梁３ｂの長手方向にずらすと、上の建物ユニットの柱の下端部と下の建物ユニットの天井梁とが干渉せず、複数の建物ユニットを積み重ねることができる。
【００５９】
また、前記トラック２０の荷台２０ａに積載されている前記複数の建物ユニットの各柱２が平面視において重ならず、前記複数の建物ユニットの各短辺天井梁３ｂの一部が前記短辺天井梁３ｂの長手方向において上下に重なっているので、この建物ユニットを上下に積み重ねている状態で、上の建物ユニットの柱の下端部と下の建物ユニットの短辺天井梁３ｂとが干渉せず、例えば３つの建物ユニットを積み重ねた場合、一つの建物ユニットの高さに加えて天井梁の高さ２つ分だけ高くなるだけで、トラック２０に積載可能になる。
【００６０】
（変形例）
次に、図８を参照して、変形例について以下説明する。
上記実施の形態１から５においては、長辺天井梁３ａまたは短辺天井梁３ｂの少なくとも一方の端部に直接接合可能な例について説明したが、本発明はこれに限られない。なお、変形例においては、上記実施の形態と同じ部材には同一の符号を付し、説明を省略する。
【００６１】
（建物ユニット）
図８（ａ）に示す建物ユニット５１Ａにおいては、前記柱２の代わりに、破線で示す柱２ａを用いる。柱２ａの上端部は、柱２ａと断面Ｌ字型の金物２ｃを用いて接合されている。
【００６２】
（トラックへの建物ユニットの積載構造）
図８（ｂ）および図８（ｃ）は、図８（ａ）に示す建物ユニット５１Ａを複数トラック２０の荷台２０ａに積載している平面図を示す。
【００６３】
図８（ｂ）は、図８（ａ）に示す建物ユニット５１Ａの上に、他の建物ユニット５１Ａを重ねた際の平面図を示し、平面視において、各建物ユニット５１Ａの各柱２が平面視において重ならず、長辺天井梁３ａが上下で一部重なっている。また、図８（ｃ）は、図８（ｂ）に示す他の建物ユニット５１Ａの上に、更に他の建物ユニット５１Ａを重ねた際の平面図を示し、平面視において、各建物ユニット５１Ａの各柱２が平面視において重ならず、長辺天井梁３ａが上下で一部重なっている。
【００６４】
図８（ｂ）および図８（ｃ）においては、下の建物ユニット５１Ａの柱２ａと上の建物ユニット５１Ａの柱２ａとが長辺天井梁の長手方向に少し離れるように図示してあるが、平面視において下の建物ユニット５１Ａの柱２ａと上の建物ユニット５１Ａの柱２ａとが接するように、トラック２０の荷台２０ａ上に積載してもよい。この場合、４トンクラスのトラック２０の荷台２０ａに３つの建物ユニットを積載しても、１つの建物ユニットを積載している場合と比較して、平面視において、トラック２０の荷台２０ａの長手方向に柱２本分の幅があれば、トラック２０の荷台２０ａに３つの建物ユニット５１Ａを積載することができる。なお、トラック２０の荷台２０ａに最初に積載する１つ目の建物ユニットは、建物ユニット５１Ａに床梁が取り付けられた建物ユニットを積載してもよい。
【００６５】
本変形例によれば、前記柱２が矩形状の前記天井梁３の隅部の外側に配置されているので、この建物ユニットを上下に積み重ねる際に、平面視において、上の建物ユニットの柱の位置を下の建物ユニットの柱の位置に対して前記長辺天井梁３ａの長手方向にずらすと、上の建物ユニットの柱の下端部と下の建物ユニットの天井梁とが干渉せず、複数の建物ユニットを積み重ねることができる。
【００６６】
また、前記トラック２０の荷台２０ａに積載されている前記複数の建物ユニットの各柱２ａが平面視において重ならず、前記複数の建物ユニットの各長辺天井梁３ａの一部が前記長辺天井梁３ａの長手方向において上下に重なっているので、この建物ユニットを上下に積み重ねている状態で、上の建物ユニットの柱の下端部と下の建物ユニットの天井梁とが干渉せず、例えば３つの建物ユニットを積み重ねた場合、一つの建物ユニットの高さに加えて天井梁の高さ２つ分だけ高くなるだけで、トラック２０に積載可能になる。
【００６７】
なお、図８に示す例においては、建物ユニットを上下に積み重ねている状態で、上の建物ユニットの柱の下端部と下の建物ユニットの天井梁とが干渉せず、前記複数の建物ユニットの各短辺天井梁３ｂの一部が前記短辺天井梁３ｂの長手方向において上下に重なるように、前記複数の建物ユニットを積み重ねることもできる。また、図９においても、前記柱２の代わりに、破線で示す柱２ａを有し、柱２ａの上端部は、柱２ａと断面Ｌ字型２ｃの金物を用いて接合されている構成とすることができる。
【００６８】
また、上記実施の形態においては、トラック２０の荷台２０ａの長手方向に建物ユニットの柱の位置をずらしながら、複数の建物ユニットを積み重ねる例について説明したが、本発明はこれに限られない。トラック２０の荷台２０ａの短手方向に建物ユニットの柱の位置をずらしながら、複数の建物ユニットを積み重ねてもよい。
【符号の説明】
【００６９】
１，１Ａ，２１Ａ，３１Ａ，４１Ａ５１Ａ，６１Ａ，７１Ａ  建物ユニット
２     柱
３     天井梁
４     床梁
３ａ   長辺天井梁
３ｂ   短辺天井梁
２０   トラック
【図１】
0005746010.tif 000002
【図２】
0005746010.tif 000003
【図３】
0005746010.tif 000004
【図４】
0005746010.tif 000005
【図５】
0005746010.tif 000006
【図６】
0005746010.tif 000007
【図７】
0005746010.tif 000008
【図８】
0005746010.tif 000009
【図９】
0005746010.tif 000010
【図１０】
0005746010.tif 000011
【図１１】
0005746010.tif 000012